(57)【要約】【課題】  ユーザが番組を視聴する際に、視聴した番組と未視聴の番組とを簡単に識別することができ、効率良く番組を視聴することができる「番組録画再生システム、番組録画再生サーバ、番組受信端末及び番組表生成方法」を提供する。【解決手段】  番組録画再生サーバ４に録画されている番組の一覧表を作成する際に、番組受信端末６にて視聴された番組を特定するための視聴データと、番組録画再生サーバ４にて録画された番組を特定するための番組データとを比較し、視聴データによって特定される番組が番組録画再生サーバ４に録画された番組の中に存在するとき、番組受信端末６にて視聴された番組の一覧表における表示形式を他の番組の表示形式と異ならせて、未視聴の番組と識別可能に表示するようにしている。【選択図】        図１
2005184093.tif 000002
【特許請求の範囲】
【請求項１】
受信した番組の音声データ及び映像データを視聴可能に出力し、前記受信した番組の視聴された時間が所定時間以上であるときに、前記受信した番組を特定するための視聴データを生成して送信する番組受信端末と、
一つ以上の番組の音声データ及び映像データをランダムアクセス可能な録画データ記憶部に記憶すると共に、前記一つ以上の番組をそれぞれ特定するための番組データを番組データ記憶部に記憶し、前記番組データにより前記録画データ記憶部に記憶されている番組の一覧表を作成し、前記番組受信端末から前記視聴データを受信して、前記視聴データにより特定される番組が前記番組データにより特定される番組の中に存在する場合に、前記視聴データにより特定される番組の前記一覧表における表示形式を他の番組の表示形式と異ならせる番組録画再生サーバと、
を備える番組録画再生システム。
【請求項２】
前記視聴データは、前記受信した番組の視聴された時間を示す視聴時間情報を含み、前記番組録画再生サーバは、前記視聴時間情報に応じて、前記視聴データにより特定される番組の前記一覧表における表示形式を他の番組の表示形式と異ならせることを特徴とする請求項１に記載の番組録画再生システム。
【請求項３】
前記視聴データは、前記受信した番組の視聴された時間を示す視聴時間情報を含み、前記番組データ及び前記視聴データの少なくとも何れか一方は、前記録画データ記憶部に記憶された番組又は前記番組受信端末で受信した番組が放送された時間を示す放送時間情報を含み、前記視聴データにより特定される番組の放送時間に対する視聴時間の割合が所定の値よりも大きい場合に前記視聴データにより特定される番組が視聴済みであるとし、前記割合が所定の値よりも小さい場合に前記視聴データにより特定される番組が視聴途中であるとして、前記視聴データにより特定される番組が視聴済みであるか視聴途中であるかに応じて表示形式を異ならせることを特徴とする請求項１に記載の番組録画再生システム。
【請求項４】
番組受信端末にて所定時間以上視聴された番組を特定するための視聴データを受信するデータ通信部と、
一つ以上の番組の音声データ及び映像データを記憶するランダムアクセス可能な録画データ記憶部と、
前記録画データ記憶部に記憶された番組をそれぞれ特定するための番組データを記憶する番組データ記憶部と、
前記番組データにより番組一覧表を作成すると共に、前記視聴データにより特定される番組が前記番組データにより特定される番組の中に存在するかを調べ、前記視聴データにより特定される番組が前記番組データにより特定される番組の中に存在する場合に、前記視聴データにより特定される番組の前記一覧表における表示形式を他の番組の表示形式と異ならせる制御部と、
を備える番組録画再生サーバ。
【請求項５】
前記視聴データは、前記視聴データにより特定される番組の視聴された時間を示す視聴時間情報が前記番組受信端末にて付加されており、前記制御部は、前記視聴時間情報に応じて、前記視聴データにより特定される番組の前記一覧表における表示形式を他の番組の表示形式と異ならせることを特徴とする請求項４に記載の番組録画再生サーバ。
【請求項６】
前記視聴データは、前記視聴データにより特定される番組の視聴された時間を示す視聴時間情報が前記番組受信端末にて付加されており、前記番組データ及び前記視聴データの少なくとも何れか一方は、前記録画データ記憶部に記憶された番組又は前記番組受信端末で受信した番組が放送された時間を示す放送時間情報が付加されており、前記制御部は、前記視聴データにより特定される番組の放送時間に対する視聴時間の割合が所定の値よりも大きい場合に前記視聴データにより特定される番組が視聴済みであるとし、前記割合が所定の値よりも小さい場合に前記視聴データにより特定される番組が視聴途中であるとして、前記視聴データにより特定される番組が視聴済みであるか視聴途中であるかに応じて表示形式を異ならせることを特徴とする請求項４に記載の番組録画再生サーバ。
【請求項７】
所望の番組を受信し、前記番組の音声データ及び映像データを視聴可能に出力する受信部と、
前記受信部により受信した番組の視聴された時間を計時し、その時間が所定時間以上であるときに、前記受信した番組を特定するための視聴データを生成する制御部と、
前記視聴データを番組録画再生サーバに送信するデータ通信部と、
を備える番組受信端末。
【請求項８】
前記受信した番組の視聴された時間を示す視聴時間情報を前記視聴データに付加することを特徴とする請求項７に記載の番組受信端末。
【請求項９】
番組受信端末にて番組が所定時間に渡って視聴されたか否かを調べる第1のステップと、
前記第1のステップにて前記番組が所定時間に渡って視聴されたときに、前記番組受信端末が、視聴された番組を特定するための視聴データを生成して送信する第２のステップと、
前記第２のステップによって送信された視聴データを番組録画サーバが受信し、一つ以上の番組を記憶する前記番組録画再生サーバが、前記視聴データによって特定される番組に該当する番組を記憶しているか否かを調べる第３のステップと、
前記第３のステップにて前記視聴データによって特定される番組に該当する番組を記憶していると判断したときに、前記番組録画再生サーバが、前記視聴データに該当する番組の表示を他の番組の表示と変えて番組表を生成する第４のステップと、
を備える番組表生成方法。
【発明の詳細な説明】
【技術分野】
【０００１】
本発明は、録画済みの番組の中からユーザが既に視聴済みの番組を区別する番組録画再生システム、番組録画再生サーバ、番組受信端末及び番組表生成方法に関するものである。
【背景技術】
【０００２】
日本国内では、地上波テレビ放送のディジタル化が進められており、２０１１年には全国で地上波ディジタル放送が実施され、アナログ波を停波する予定となっている。
【０００３】
地上波ディジタル放送では、今までの地上波アナログ放送には無かったサービスがいくつか存在する。その中の一つにＥＰＧ（Electrical Program Guide：電子番組ガイド）がある。このＥＰＧは、地上波ディジタル放送の電波に含まれるＥＩＴ（Event Information Table）と呼ばれるテーブルを基に作成されるもので、番組の放送時間、放送局、タイトル、放送内容等の番組情報を示すものである。また、地上波ディジタル放送では、従来の地上波アナログ放送に比べて、移動受信向け及び携帯受信向けの放送でも安定した映像を提供することができることから、ユーザが外出先で番組を視聴するケースが増えると考えられる。
【０００４】
また、近年、番組録画再生装置にハードディスクドライブ（以下、ＨＤＤと記述する）等の大容量記憶装置を搭載することで、複数の番組を長時間記録することができるようになっている。また、ＨＤＤは記録済の複数の番組へのランダムアクセスが可能であるから、録画済の複数の番組の中からある番組を選択して再生するときには、ビデオテープを使用して記録した場合のように、録画済の複数の番組を先頭から順番に再生したり、長時間に渡って早送りを行ったりする必要はなく、所望の番組から直接再生を開始することができる。ところが、ＨＤＤの大容量化に伴い、記録可能な番組の数が大量になればなるほど、所望の番組を再生するときに、その番組を探すことが困難になってくる。
【０００５】
このように、複数の番組が記録された番組録画再生装置から所望の番組を探すときに、録画済の番組の一覧を表示し、その表示内容として録画済みの番組の録画日時やチャンネル番号に加え、各番組をどこまで再生したかを示す情報と、サムネイル画像とを表示する技術が知られている（例えば特許文献１）。
【特許文献１】特開２０００−１３８８８６号公報
【０００６】
しかしながら、特許文献１に記載の技術では、複数の番組が記録された番組録画再生装置以外で視聴された番組、例えば車載用の移動受信端末や携帯受信端末等の番組受信端末を用いて外出先で視聴された番組については、これを区別して表示することができないので、ユーザはどの番組が視聴済みであるかを確認することが困難になるという問題があった。
【発明の開示】
【発明が解決しようとする課題】
【０００７】
本発明は、このような問題を解決するために成されたものであり、番組録画再生サーバに録画されている番組の一覧表を作成する際に、番組受信端末にて視聴済みの番組と視聴中の番組と未視聴の番組とを識別可能に表示することで、ユーザに対してどの番組が視聴済みであるかを簡単に識別させることを目的とする。
【課題を解決するための手段】
【０００８】
上記した課題を解決するために、本発明では、番組録画再生サーバに録画されている番組の一覧表を作成する際に、番組受信端末にて視聴された番組を特定するための視聴データと、番組録画再生サーバにて録画された番組を特定するための番組データとを比較し、視聴データによって特定される番組が番組録画再生サーバに録画された番組の中に存在するとき、番組受信端末にて視聴された番組の一覧表における表示形式を異ならせるようにしている。
【発明の効果】
【０００９】
上記のように構成した本発明によれば、番組録画再生サーバで録画された番組と番組受信端末で視聴した番組とが同一であるとき、作成される番組表にて、その番組が視聴済み又は視聴中であることが識別可能に表示されるので、ユーザが番組を視聴する際に、視聴済みの番組と視聴途中の番組と未視聴の番組とを簡単に識別することができ、ユーザが効率良く番組を選択して視聴することができる。
【発明を実施するための最良の形態】
【００１０】
以下、本発明による実施形態を図面に基づいて説明する。図１は、本実施形態による番組録画再生システムの構成例を示すブロック図である。図１において、１は送信設備であり、ここから地上波ディジタル放送の電波を送信する。２は受信アンテナであり、送信設備１から送られる地上波ディジタル放送の電波を受信する。３は家庭用受信装置であり、受信アンテナ２で受信した地上波ディジタル放送の電波から音声データ、映像データ、ＥＰＧデータ（例えばＥＩＴ（Event Information Table）など）、ＮＩＴ（Network Information Table）を抽出して出力する。ＥＩＴからは、選択している番組名、番組の開始時間及び終了時間を示す情報を取得することができ、ＮＩＴからは、選択している放送局を識別する情報を取得することができる。
【００１１】
４は番組録画再生サーバであり、家庭用受信装置３から音声データ、映像データ及びＥＰＧデータを入力し、ユーザが所望する番組を記憶する。番組録画再生サーバ４は、所望の番組を記憶する際に、番組の音声データ、映像データの他に、ＥＰＧデータから抽出して生成した番組データを記憶する。ここで、番組データは番組録画再生サーバ４に記憶される番組を特定するためのデータであり、例えば、選択している番組の番組名、放送日時（録画日時）及び放送局を示すデータから成る。
【００１２】
また、番組録画再生サーバ４は、図２に示すような番組表を生成する。番組表には番組録画再生サーバ４に記憶された番組の録画日時、放送局、番組名を示す情報が一覧形式で表示されている。また、この番組表の番組名欄では、それぞれの番組が視聴済みであるか、視聴途中であるか、未視聴であるかに応じて表示形式を異ならせている。
【００１３】
５は受信アンテナであり、送信設備１から送られる地上波ディジタル放送の電波を受信する。６は車載用番組受信端末であり（特許請求の範囲の番組受信端末に該当する）、受信アンテナ５で受信した地上波ディジタル放送の電波から音声データ、映像データ及びＥＰＧデータ（例えばＥＩＴ）を抽出する。また、車載用番組受信端末６は、ＥＰＧデータの他に、ＮＩＴや現在時刻を取得するためのＴＯＴ（Time Offset Table）を抽出する。更に、車載用番組受信端末６は、車載用番組受信端末６で視聴された番組を特定するための視聴データを生成する。
【００１４】
視聴データは、ＥＰＧデータによって得られる視聴中の番組名、放送日時、放送局を示す情報と、ＴＯＴによって得られる視聴時間を示す情報とにより構成される。また、視聴データは、短時間しか視聴されなかった番組を視聴済みの番組又は視聴途中の番組と判断しないように、番組が所定時間（例えば３０秒）以上視聴されたときに生成される。視聴データは番組の視聴時間を示す情報を持っているので、番組の視聴時間に応じて視聴済み（例えば番組の放送時間に対して視聴時間の割合が９０％以上）、又は、視聴中（例えば番組の放送時間に対して視聴時間の割合が９０％未満）と設定することで、番組が視聴済みであるか、視聴中であるか、未視聴であるかを区別することができる。
【００１５】
また、車載用番組受信端末６は、番組録画再生サーバ４との通信手段を備えており、少なくとも、車載用番組受信端末６から番組録画再生サーバ４へ視聴データを送ることが可能である。このときの通信手法としては、携帯電話による通信やＤＳＲＣ（Dedicated Short Range Communications：狭域通信）を利用したユビキタスネットワークが考えられる。
【００１６】
番組録画再生サーバ４は、車載用番組受信端末６から視聴データを受信して、記憶されている番組データと比較する。ここで、視聴データにより特定される番組が番組録画再生サーバ４に記憶されている番組の中に存在する場合、この番組は視聴済み又は視聴途中であると判断される。そして、番組データに基づいて番組表を生成する場合、視聴データによって特定される番組が番組録画再生サーバ４に記憶されている番組の中に存在するときには、視聴データによって特定される番組の番組表における表示形式を他の番組の表示形式と異ならせる。また、図２に示すように、視聴データによって特定される番組が視聴済みであるか、視聴途中であるかに応じて表示形式を異ならせる。
【００１７】
図３は、本実施形態による番組録画再生サーバ４の構成例を示すブロック図である。図３において、１１は操作部であり、ユーザの操作により番組の録画指示や録画予約指示、再生指示、視聴指示等の操作に対応した信号を出力する。１２は制御部であり、操作部１１から録画指示信号や録画予約指示信号、再生指示信号、視聴指示信号等を入力し、これにより番組録画再生サーバ４内の各構成要素を制御する。また、制御部１２は、操作部１１から視聴指示信号を入力した場合、視聴指示信号を家庭用受信装置３へ送信し、家庭用受信装置３から入力する音声データ及び映像データをディスプレイ（図示せず）に出力する。
【００１８】
更に、制御部１２は、操作部１１から録画指示信号及び録画予約指示信号を入力した場合、録画を実行するときに、選局指示信号を家庭用受信装置３へ送信する。家庭用受信装置３では、選局指示信号により録画される放送局を選局する。そして、制御部１２は、録画指示信号及び録画予約指示信号によって、家庭用受信装置３から入力する音声データ及び映像データを後述する録画データ記憶部１３に記録すると共に、録画される番組の番組データを家庭用受信装置３より取得したＥＰＧデータより生成して後述する番組データ／視聴データ記憶部１５に記憶する。また、制御部１２は、番組データ／視聴データ記憶部１５に記憶された番組データに基づいて、録画された番組の番組名、録画日時、放送局等の情報により構成される番組表を生成する。
【００１９】
１３は録画データ記憶部であり、ＨＤＤ等の大容量記憶装置により構成されており、家庭用受信装置３から入力する番組の音声データ及び映像データを制御部１２によって記憶する。１４はデータ通信部であり、車載用番組受信端末６から送られてくる視聴データを受信する。１５は番組データ／視聴データ記憶部であり、制御部１２によって視聴データ及び番組データを記憶する。
【００２０】
１６はオンスクリーンディスプレイ制御部（以下、ＯＳＤ制御部と記述）であり、操作部１１の操作により番組表の表示が要求されたときに、制御部１２によって生成された番組表画像をディスプレイ装置（図示せず）に出力する。図２に示したように、番組表には番組データ／視聴データ記憶部１５に記憶された番組データに基づいて、番組名、放送日時（録画日時）、放送局を示す情報が一覧形式で表示されており、番組データ／視聴データ記憶部１５に記憶された視聴データによって特定される番組の表示を未視聴の番組の表示とは異ならせている。
【００２１】
図４は、本実施形態による車載用番組受信端末６の構成例を示すブロック図である。図４において、２１は操作部であり、ユーザの操作によりどの番組を視聴するかが選択され、選局指示信号を出力する。２２は制御部であり、操作部２１から選局指示信号を入力し、これにより車載用番組受信端末６内の各構成要素を制御する。２３はチューナであり、受信アンテナ５によって受信した地上波ディジタル放送の電波から、所望の番組を放送している放送局に合致した受信周波数の信号を選択的に抽出して出力する。
【００２２】
２４はＯＦＤＭ復調部であり、チューナ２３で受信した信号をＯＦＤＭ復調してＴＳ（トランスポートストリーム）を得る。２５は誤り訂正部であり、ＯＦＤＭ復調部２４から入力したＴＳを誤り訂正する。２６はデマルチプレクサ部であり、誤り訂正部２５から入力する多重化されているＴＳを分離して音声ストリーム、映像ストリーム及び番組情報ストリームを出力する。番組情報ストリームは、番組名、放送日時、放送局、現在時刻等の情報により構成されている。ここで、選択している番組の番組名、番組の開始時刻及び終了時刻は、ＥＰＧデータのＥＩＴにより構成され、選択している放送局は、ＮＩＴにより構成される。また、現在時刻はＴＯＴにより構成される。
【００２３】
２７はオーディオデコーダ部であり、デマルチプレクサ２６から入力した音声ストリームをデコードして音声データとして出力する。２８はビデオデコーダ部であり、デマルチプレクサ２６から入力した映像ストリームをデコードして映像データとして出力する。なお、チューナ２３、ＯＦＤＭ復調部２４、誤り訂正部２５、デマルチプレクサ部２６、オーディオデコーダ部２７、ビデオデコーダ部２８は、特許請求の範囲の受信部に該当する。
【００２４】
２９は番組情報デコーダ部であり、デマルチプレクサ２６から入力した番組情報ストリームをデコードして制御部２２へ出力する。制御部２２では、番組情報デコーダ部２９によりデコードされた番組情報ストリームを基に視聴データを生成する。視聴データは、車載用番組受信端末６で視聴された番組の視聴履歴を示す視聴履歴管理テーブルであり、車載用番組受信端末６で視聴された番組を特定するためのデータである。視聴履歴管理テーブルは、図５に示すように、放送局を示す放送局識別子、番組名、番組開始時間、番組終了時間、視聴日時、視聴開始時間、視聴終了時間を示す情報により構成されている。
【００２５】
３０は記憶部であり、制御部２２で生成された視聴データを記憶する。また、３１はデータ通信部であり、記憶部３０に記憶された視聴データを定期的に番組録画再生サーバ４へ送信する。
【００２６】
図６は、本実施形態による番組録画再生システムの動作及び番組表生成方法を示すフローチャートである。なお、このフローチャート中には示していないが、番組録画再生サーバ４では、例えばユーザが好む番組を示す嗜好情報等に基づいて、自動的に番組を録画データ記憶部１３に記憶している。また、番組録画再生サーバ４では、継続的に録画すべき番組が設定されているときには、その番組も自動的に録画している。更に、録画日時を指定して録画予約が行われたときや、番組の放送時にリアルタイムに録画指示が行われたときも、その番組を録画データ記憶部１３に録画している。そして、記憶された番組を特定するための番組データを番組データ／視聴データ記憶部１５に記憶している。
【００２７】
一方、車載用番組受信端末６では、番組の視聴が開始されるとフローチャートの処理をスタートする。まず、制御部２２が、番組が所定時間以上視聴されたか否かを調べる（ステップＳ１）。番組が所定時間以上視聴された場合（ステップＳ１にてＹＥＳ）、制御部２２は、視聴データを生成して記憶部３０に記憶する（ステップＳ２）。そして、制御部２２は、送信タイミングになったか否かを調べる（ステップＳ３）。ここでは、定期的に送信タイミングが到来するようにしている。一方、番組が所定時間以上視聴されなかった場合（ステップＳ１にてＮＯ）、そのまま処理を終了する。
【００２８】
送信タイミングになったときには（ステップＳ３にてＹＥＳ）、制御部２２は、記憶部３０から視聴データを読み出して、データ通信部３１から番組録画再生サーバ４のデータ通信部１６へ視聴データを送信し（ステップＳ４）、処理を終了する。一方、送信タイミングになっていないときには（ステップＳ３にてＮＯ）、ステップＳ３の処理へ戻る。
【００２９】
番組録画再生サーバ４では、車載用番組受信端末６から視聴データを受信すると、これを番組データ／視聴データ記憶部１５に記憶する（ステップＳ５）。その後、制御部１２は、ユーザから番組表の表示指示があるか否かを調べる（ステップＳ６）。そして、番組表の表示指示が行われない場合（ステップＳ６にてＮＯ）、ステップＳ６の処理を繰り返す。一方、ユーザが操作部１１により番組表の表示指示を行うと（ステップＳ６にてＹＥＳ）、制御部１２は、番組データ／視聴データ記憶部１５に記憶されている番組データと、データ通信部１４にて受信して番組データ／視聴データ記憶部１５に記憶されている視聴データとを比較し、視聴データによって特定される番組が録画データ記憶部１３に記憶されているか否かを調べる（ステップＳ７）。
【００３０】
視聴データによって特定される番組が録画データ記憶部１３に記憶されている場合（ステップＳ７にてＹＥＳ）、制御部１２は、視聴データによって特定される番組の表示形式を他の番組の表示形式と異ならせて番組表データを生成する（ステップＳ８）。このとき、制御部１２では、視聴データによって特定される番組の放送時間に対する視聴時間の割合に応じて、視聴済みであるか、視聴中であるかを判断し、図２に示すように、表示形式を異ならせる。一方、視聴データによって特定される番組が録画データ記憶部１３に記憶されていない場合（ステップＳ７にてＮＯ）、制御部１２は、全ての番組を同じ表示形式にして番組表データを生成する（ステップＳ９）。
【００３１】
制御部１２は、番組表データを生成すると（ステップＳ８又はステップＳ９）、ＯＳＤ制御部１９に対して番組表データの出力を指示する。ＯＳＤ制御部１９では、番組表データをディスプレイ（図示しない）に出力する（ステップＳ１０）。
【００３２】
番組表が表示されている状態で、ユーザが操作部１１を操作して番組表に表示されている番組の中から所望の番組を選択すると、制御部１２は、選択された番組の録画データを録画データ記憶部１３より読み出して再生処理を行う。
【００３３】
以上詳しく説明したように、本実施形態によれば、ユーザが車載用番組受信端末６で番組を視聴した場合、その番組を特定する視聴データを家庭等に設置された番組録画再生サーバ４に送信する。そして、その番組が番組録画再生サーバ４で録画された番組と同一であるとき、番組録画再生サーバ４にて作成される番組表にて、その番組が視聴済み又は視聴中であることを表示するようにしている。これにより、ユーザが番組録画再生サーバ４に録画されている番組を視聴する際に、外部の車載用番組受信端末６で視聴済みの番組や視聴途中の番組も簡単に判別することができるので、ユーザが効率良く番組を選択して視聴することができる。
【００３４】
なお、本実施形態において、車載用番組受信装置６から送られてきた視聴データにより特定される番組と、番組録画再生サーバ４にて生成された番組データにより特定される番組とを比較する場合に、番組名、放送日時及び放送局を使用しているが、番組名にサブタイトル等の詳細な情報が含まれているときには、番組名のみを比較するようにしても良い。また、番組を特定することができる番組ＩＤが存在するときには、番組ＩＤのみを比較するようにしても良い。
【００３５】
また、本実施形態において、視聴データを送信しているのは、車載用番組受信端末６であるが、これに限定されない。例えば、番組受信機能を備えた携帯電話や携帯端末であっても良い。
【００３６】
更に、本実施形態において、車載用番組受信端末６から番組録画再生サーバ４へ視聴データを定期的に送信しているが、これに限定されない。例えば、車載用番組受信端末６と番組録画再生サーバ４との通信として、ＤＳＲＣやブルートゥース（Bluetooth）等の近距離通信を使用した場合、車載用番組受信端末６から番組録画再生サーバ４への送信を車載用ナビゲーション装置と連動させても良い。例えば、番組録画再生サーバ４が設置されている場所（例えば自宅）を車載用ナビゲーション装置に記録しておき、車両がその場所に近付いたとき等に、車載用番組受信端末６が車載用ナビゲーション装置からの指示により視聴データを送信する。これにより、車載用番組受信端末６と番組録画再生サーバ４との通信を確実に行うことができる。
【００３７】
また、本実施形態において、車載用番組受信端末６における番組の視聴時間は、図５に示す視聴履歴管理テーブルの視聴日時、視聴開始時間及び視聴終了時間によって得られるが、これに限定されない。例えば、制御部２２に設けたタイマー（図示しない）によって視聴時間を計時しても良い。
【００３８】
更に、本実施形態において、視聴済みの番組と視聴中の番組と未視聴の番組とは、番組表にて番組名の欄を異なる表示としているが、これに限定されない。例えば、図７に示すように、視聴済みの番組と視聴中の番組と未視聴の番組とが区別できるように、番組名の欄の近傍に目印となる表示を行っても良い。
【００３９】
また、本実施形態において、図２に示すように表示されている番組表から視聴済みの番組と未視聴の番組と未視聴の番組とをそれぞれ抽出できるようにしても良い。例えば、図８に示すように、未視聴の番組、視聴途中の番組、視聴済みの番組を選択するための表示フィルタ内容設定画面を表示し、ここから視聴途中の番組を選択すると、視聴途中の番組が選択されて一覧表示されるようにしても良い。これにより、一度視聴した番組を除外して視聴したい場合、携帯端末で視聴した番組を家庭内で視聴したい場合、視聴して気に入った番組を別の記憶媒体に移したい場合に、番組録画再生サーバ４に記憶されている番組の中からユーザが所望の番組を容易に選択することができる。
【００４０】
また、本実施形態において、番組録画再生サーバ４では、番組の音声データ及び映像データから成る録画データを録画データ記憶部１３に記憶し、視聴データ及び番組データを番組データ／視聴データ記憶部１５に記憶しているが、これに限定されない。例えば、録画データ記憶部１３と番組データ／視聴データ記憶部１５とを同じ記憶装置としても良く、視聴データを記憶するデータ記憶部と番組データを記憶するデータ記憶部とを分けても良い。
【００４１】
更に、本実施形態において、視聴データによって特定される番組の放送時間に対する視聴時間の割合に応じて表示形式を異ならせているが、番組が視聴された時間を示す視聴時間情報を番組表に反映することで、番組がどの程度の時間視聴されたかを表示しても良い。例えば、図９に示すように、番組表に表示された番組の番組開始から番組終了までの視聴の程度を棒状のグラフの長さで表示する。これにより、ユーザは番組の視聴の程度を詳しく知ることができる。
【００４２】
また、前述したように、番組がどの程度の時間視聴されたかを棒状のグラフで示す場合、図１０に示すように、番組録画再生サーバ４にて視聴された番組を特定しておき、車載用番組受信端末６にて視聴した部分と番組録画再生サーバ４にて視聴した部分との表示形式を変えても良い。そして、車載用番組受信端末６にて視聴した部分と番組録画再生サーバ４にて視聴した部分と未視聴の部分とを視聴開始位置を示すカーソルによって選択可能とすることで、ユーザはそれぞれの区切りの部分から視聴を開始することができる。これにより、車載用番組受信端末６にて途中まで視聴した番組を番組録画再生サーバ４によって続きから視聴する場合や車載用番組受信端末６で視聴した部分を番組録画再生サーバ４にて再度視聴する場合等において、視聴開始位置を容易に指定することができる。
【００４３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４４】
本発明は、記憶されている番組の中から視聴する番組を選択する際に、ユーザが他の端末で視聴した番組を識別可能とする番組表を生成する番組録画再生システム、番組録画再生サーバ、番組受信端末及び番組表生成方法に有用である。
【図面の簡単な説明】
【００４５】
【図１】本実施形態による番組録画再生システムの構成例を示すブロック図である。
【図２】本実施形態による番組表の表示の一例を示す図である。
【図３】本実施形態による番組録画再生サーバの構成例を示すブロック図である。
【図４】本実施形態による車載用番組受信端末の構成例を示すブロック図である。
【図５】本実施形態による視聴履歴管理テーブルの一例を示す図である。
【図６】本実施形態による番組録画再生システムの動作及び番組表生成方法を示すフローチャートである。
【図７】本実施形態による番組表の表示の他の例を示す図である。
【図８】本実施形態による番組表の中から視聴中の番組をソートする画面の一例を示す図である。
【図９】本実施形態による番組表の表示の更に他の例を示す図である。
【図１０】本実施形態による機器毎の視聴履歴を示す番組表の表示の一例を示す図である。
【符号の説明】
【００４６】
１    送信設備
２，５    受信アンテナ
３    家庭用受信装置
４    番組録画再生サーバ
６    車載用番組受信端末
１１    操作部
１２，２２    制御部
１３    録画データ記憶部
１４，３１    データ通信部
１５    番組データ／視聴データ記憶部
１６    ＯＳＤ制御部
３０    記憶部
【図１】
2005184093.tif 000003
【図２】
2005184093.tif 000004
【図３】
2005184093.tif 000005
【図４】
2005184093.tif 000006
【図５】
2005184093.tif 000007
【図６】
2005184093.tif 000008
【図７】
2005184093.tif 000009
【図８】
2005184093.tif 000010
【図９】
2005184093.tif 000011
【図１０】
2005184093.tif 000012